(57)【特許請求の範囲】
【請求項１】
タッチパネルを備える携帯電話機であって、
他の電話機からの着信があると、当該着信に対する対応を選択するための対応選択画面を表示する第１表示部と、
前記第１表示部によって表示された対応選択画面において、前記タッチパネルからの第１入力に応じて、前記他の電話機からの着信に対する対応を選択する対応選択部、
前記対応選択画面において、前記着信に対する対応が選択されたとき、選択された対応を実行することを指示するための実行画面を表示する第２表示部と、
前記第２表示部によって表示された実行画面において、前記第１入力とは異なる第２入力が前記タッチパネルにて行われたか否かを判断する判断部と、
前記判断部によって前記第２入力が行われたことが判断された場合に、前記対応選択部によって選択された対応を実行する実行部を備える、携帯電話機。
【請求項２】
前記第２入力は、タッチ点の移動量が所定値以上であることを含む、請求項１記載の携帯電話機。
【請求項３】
前記第２入力は、前記タッチ点の移動方向が所定方向であることをさらに含む、請求項３記載の携帯電話機。
【請求項４】
前記他の電話機からの着信に対する対応は、当該着信に応答することまたは当該着信を無視することを含む、請求項１ないし３のいずれかに記載の携帯電話機。
【請求項５】
前記他の電話機からの着信に対する対応は、さらに、当該着信を無視するとともに当該着信の発信元にメッセージを送信することを含む、請求項４記載の携帯電話機。
【請求項６】
前記第１表示部は、前記対応選択画面に前記対応を選択するための第１画像を表示し、
前記第２表示部は、前記実行画面に、選択された対応を実行することを指示するための第２画像を、表示装置の表示領域において前記第１画像と重ならない位置に表示する、請求項１記載の携帯電話機。
【請求項７】
前記第１入力は、前記第１画像をタッチする入力であり、
前記第２入力は、前記第２画像を移動させる入力である、請求項６記載の携帯電話機。
【請求項８】
タッチパネルを備える携帯電話機の制御プログラムであって、
前記携帯電話機のプロセッサに、
他の電話機からの着信があると、当該着信に対する対応を選択するための対応選択画面を表示装置に表示する第１表示ステップと、
前記第１表示ステップにおいて表示した対応選択画面において、前記タッチパネルからの第１入力に応じて、前記他の電話機からの着信に対する対応を選択する対応選択ステップと、
前記対応選択画面において、前記着信に対する対応が選択されたとき、選択された対応を実行することを指示するための実行画面を前記表示装置に表示する第２表示ステップと、
前記第２表示ステップにおいて表示した実行画面において、前記第１入力とは異なる第２入力が前記タッチパネルにて行われたか否かを判断する判断ステップと、
前記判断ステップにおいて前記第２入力が行われたことを判断した場合に、前記対応選択ステップにおいて選択した対応を実行する実行ステップを実行させる、携帯電話機の制御プログラム。
【発明の詳細な説明】
【技術分野】
【０００１】
この発明は携帯電話機およびその制御プログラムに関し、特にたとえば、タッチパネルを備える、携帯電話機およびその制御プログラムに関する。
【背景技術】
【０００２】
この種の携帯電話機の一例が特許文献１に開示されている。この特許文献１の無線通信機では、ハンズフリーモードが選択され、ハンズフリーモード待ち受け状態にあるときに、着信に応答する場合、表示部の表面上に設けてあるタッチパネルを押下すると、そのことによる着信応答となり、ドライブモード通話状態に入る。
【特許文献１】特開２００１−３３９５０４[H04M 1/60, H04Q 7/32, H04Q 7/38, H04M 1/00, H04M 1/247]
【発明の概要】
【発明が解決しようとする課題】
【０００３】
しかし、背景技術の無線通信機では、着信時にタッチパネルを押下すると、直ぐに着信応答するため、使用者が誤ってタッチパネルを押下してしまった場合にも、ドライブモード通話状態に入ってしまう。
【０００４】
それゆえに、この発明の主たる目的は、新規な、携帯電話機およびその制御プログラムを提供することである。
【０００５】
また、この発明の他の目的は、使用者が意図しない操作によって着信に対応することを防止できる、携帯電話機およびその制御プログラムを提供することである。
【課題を解決するための手段】
【０００６】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００７】
第１の発明は、タッチパネルを備える携帯電話機であって、他の電話機からの着信があると、当該着信に対する対応を選択するための対応選択画面を表示する第１表示部と、第１表示部によって表示された対応選択画面において、タッチパネルからの第１入力に応じて、他の電話機からの着信に対する対応を選択する対応選択部、対応選択画面において、着信に対する対応が選択されたとき、選択された対応を実行することを指示するための実行画面を表示する第２表示部と、第２表示部によって表示された実行画面において、第１入力とは異なる第２入力がタッチパネルにて行われたか否かを判断する判断部と、判断部によって第２入力が行われたことが判断された場合に、対応選択部によって選択された対応を実行する実行部を備える、携帯電話機である。
【０００８】
第１の発明では、携帯電話機（１０）は、第１表示部（２４、２８、３０、Ｓ５、Ｓ６３）と、対応選択部（２４、Ｓ７、Ｓ１１、Ｓ１５、Ｓ６５、Ｓ６９、Ｓ７３）と、第２表示部（２４、２８、３０、Ｓ１９、Ｓ７７）と、判断部（２４、Ｓ２１、Ｓ７９）と、実行部（２４、Ｓ２１、Ｓ２３、Ｓ３９、Ｓ７９、Ｓ８１、Ｓ９７）を備える。第１表示部は、他の電話機からの着信があると、当該着信に対する対応を選択するための対応選択画面（６０、１２０）を表示する。対応選択部は、第１表示部によって表示された対応選択画面において、タッチパネル（３８）からの第１入力に応じて、他の電話機からの着信に対する対応を選択する。第２表示部は、対応選択画面において、着信に対する対応が選択されたとき、選択された対応を実行することを指示するための実行画面（７０、１３０）を表示する。判断部は、第２表示部に表示された実行画面において、第１入力とは異なる第２入力がタッチパネルにて行われたか否かを判断する。実行部は、判断部によって第２入力が行われたことが判断された場合に、対応選択部によって選択された対応を実行する。
【０００９】
第１の発明によれば、着信に対する対応を選択した後に、選択された対応の実行が指示されるので、使用者が意図しない操作によって着信に対応することを防止することができる。
また、第１の発明によれば、対応選択画面や実行画面を表示するので、使用者に対応の選択やその実行の指示を容易に実行させることができる。また、第２入力が行われたことが判断された場合に、選択された対応を実行するので、誤った操作に応じて、選択された対応が実行されることを防止することができる。
【００１３】
第２の発明は、第１の発明に従属し、第２入力は、タッチ点の移動量が所定値以上であることを含む。
【００１４】
第２の発明では、第２入力は、タッチ点の移動量、たとえば、スライドの距離が所定値以上であることを含む。または、第２入力は、タッチ点の移動による軌跡についての距離が所定値以上であることを含む。
【００１５】
第２の発明によれば、タッチ点の移動量が所定以上である場合に、選択された対応を実行するので、タッチしただけで、選択された対応を実行する場合に比べて、誤操作を防止することができる。
【００１６】
第３の発明は、第２の発明に従属し、第２入力は、タッチ点の移動方向が所定方向であることをさらに含む。
【００１７】
第３の発明では、タッチ点の移動方向が所定方向であり、その移動量が所定値以上である場合に、第２入力が検知される。
【００１８】
第３の発明によれば、タッチ点の移動量のみならず、移動方向も検出するため、誤操作を確実に防止することができる。
【００１９】
第４の発明は、第１ないし第３の発明のいずれかに従属し、他の電話機からの着信に対する対応は、当該着信に応答することまたは当該着信を無視することを含む。
【００２０】
第４の発明では、対応選択部は、他の電話機からの着信に応答すること、または、他の電話機からの着信を無視することを選択する。
【００２１】
第４の発明によれば、使用者は、少なくとも、着信に応答すること、着信を無視することを選択することができる。
【００２２】
第５の発明は、第４の発明に従属し、他の電話機からの着信に対する対応は、さらに、当該着信を無視するとともに当該着信の発信元にメッセージを送信することを含む。
【００２３】
第５の発明では、対応選択部は、さらに、他の電話機からの着信を無視するとともに、当該着信の発信元すなわちこの他の電話機にメッセージを送信することを選択する。
【００２４】
第５の発明によれば、使用者は、さらに、着信を無視するとともに当該着信の発信元にメッセージを送信することを選択することができる。
第６の発明は、第１の発明に従属し、第１表示部は、対応選択画面に対応を選択するための第１画像を表示し、第２表示部は、実行画面に、選択された対応を実行することを指示するための第２画像を、表示装置の表示領域において第１画像と重ならない位置に表示する。
第６の発明では、第１表示部は、対応選択画面に対応を選択するための第１画像を表示する。また、第２表示部は、実行画面に、選択された対応を実行することを指示するための第２画像を、表示装置の表示領域において第１画像と重ならない位置に表示する。つまり、第１画像と第２画像とは、表示装置に表示される異なる画面において、表示装置の表示領域の異なる領域に表示される。
第６の発明によれば、仮に、ユーザが意図せずに第１画像に対して第１入力を行ったとしても、そのまま第２画像に対して第２入力が行われることを出来る限り防止することができる。
第７の発明は、第６の発明に従属し、第１入力は、第１画像をタッチする入力であり、第２入力は、第２画像を移動させる入力である。
第７の発明では、対応選択画面において、使用者が所望の対応についての第１画像をタッチすると、その実行画面が表示される。そして、実行画面において、使用者が第２画像を移動させると、選択画面において選択された対応が実行される。
第７の発明によれば、使用者が意図せずに第１画像をタッチし、対応が選択されたとしても、第２画像を移動させない限り、選択された対応が実行されることがないため、選択された対応が実行されることを防止することができる。
【００２５】
第８の発明は、タッチパネルを備える携帯電話機の制御プログラムであって、携帯電話機のプロセッサに、他の電話機からの着信があると、当該着信に対する対応を選択するための対応選択画面を表示装置に表示する第１表示ステップと、第１表示ステップにおいて表示した対応選択画面において、タッチパネルからの第１入力に応じて、他の電話機からの着信に対する対応を選択する対応選択ステップと、対応選択画面において、着信に対する対応が選択されたとき、選択された対応を実行することを指示するための実行画面を表示装置に表示する第２表示ステップと、第２表示ステップにおいて表示した実行画面において、第１入力とは異なる第２入力がタッチパネルにて行われたか否かを判断する判断ステップと、判断ステップにおいて第２入力が行われたことを判断した場合に、対応選択ステップにおいて選択した対応を実行する実行ステップを実行させる、携帯電話機の制御プログラムである。
【００２６】
第８の発明においても、第１の発明と同様に、使用者が意図しない操作によって着信に対応することを防止することができる。
【発明の効果】
【００２７】
この発明によれば、使用者が意図しない操作によって着信に対応することを防止することができる。
【００２８】
この発明の上述の目的，その他の目的，特徴および利点は、図面を参照して行う以下の実施例の詳細な説明から一層明らかとなろう。
【図面の簡単な説明】
【００２９】
【図１】図１はこの発明の一実施例の携帯電話機の電気的な構成を示すブロック図である。
【図２】図２は図１に示す携帯電話機の外観を示す図である。
【図３】図３は図１に示すディスプレイに表示される対応選択画面および実行画面の例を示す図である。
【図４】図４は図１に示すディスプレイに表示された実行画面における操作の例を示す図である。
【図５】図５は図１に示すディスプレイに表示される通話中画面およびメッセージ作成画面の例を示す図である。
【図６】図６は図１に示すＲＡＭのメモリマップの例を示す図である。
【図７】図７は図１に示すプロセッサの全体処理の一部を示すフロー図である。
【図８】図８は図１に示すプロセッサの全体処理の他の一部を示すフロー図である。
【図９】図９は図１に示すプロセッサの全体処理のその他の一部を示すフロー図である。
【図１０】図１０は図１に示すプロセッサの割り込み処理の一部を示すフロー図である。
【図１１】図１１は図１に示すプロセッサの割り込み処理の他の一部を示すフロー図である。
【図１２】図１２は図１に示すプロセッサの割り込み処理のその他の一部を示すフロー図である。
【図１３】図１３は他の実施例のディスプレイに表示される対応選択画面および実行画面の例を示す図である。
【図１４】図１４は他の実施例のディスプレイに表示された実行画面の他の例およびその操作の例を示す図である。
【発明を実施するための形態】
【００３０】
図１を参照して、この実施例の携帯電話機１０は、携帯端末の一種であり、ＣＰＵまたはコンピュータと呼ばれるプロセッサ２４を含む。このプロセッサ２４には、無線通信回路１４、Ａ／Ｄ変換器１６、Ｄ／Ａ変換器２０、キー入力装置２６、表示ドライバ２８、フラッシュメモリ３２、ＲＡＭ３４、タッチパネル制御回路３６および近接センサ４０が接続される。無線通信回路１４にはアンテナ１２が接続され、Ａ／Ｄ変換器１６にはマイク１８が接続され、Ｄ／Ａ変換器２０にはアンプ（図示せず）を介してスピーカ２２が接続される。表示ドライバ２８には、表示部として機能するディスプレイ３０が接続される。また、タッチパネル制御回路３６にはタッチパネル３８が接続される。
【００３１】
プロセッサ２４は、制御用のＩＣであり、携帯電話機１０の全体制御を司る。また、記憶部と呼ばれるＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータや使用者のプロファイルおよびアドレス帳のようなデータが記録される。
【００３２】
Ａ／Ｄ変換器１６は、当該Ａ／Ｄ変換器１６に接続されたマイク１８を通して入力される音声ないし音についてのアナログ音声信号を、デジタル音声信号に変換する。Ｄ／Ａ変換器２０は、デジタル音声信号をアナログ音声信号に変換（復号）して、アンプを介してスピーカ２２に与える。したがって、アナログ音声信号に対応する音声ないし音がスピーカ２２から出力される。
【００３３】
キー入力装置２６は、通話キー２６ａ、機能キー２６ｂおよび終話キー２６ｃなど(図２（Ａ）参照）を備える。そして、使用者が操作したキーの情報（キーデータ）はプロセッサ２４に入力される。なお、キー入力装置２６に含まれる各キーが操作されると、クリック音が鳴る。使用者は、クリック音を聞くことで、キー操作に対する操作感を得ることができる。
【００３４】
表示ドライバ２８は、プロセッサ２４の指示の下、当該表示ドライバ２８に接続されたディスプレイ３０の表示を制御する。また、表示ドライバ２８は、ディスプレイ３０に表示する画面に対応する表示画像データを一時的に記憶するＶＲＡＭ（図示せず）を含む。プロセッサ２４は、表示画像データを、このＶＲＡＭに記憶させる。
【００３５】
タッチパネル３８は、ディスプレイ３０の画面内で、任意の位置を指示するためのポインティングデバイスである。たとえば、この実施例のタッチパネル３８は、指などの物体が表面に接近して生じた電極間の静電容量の変化を検出する静電容量方式のタッチパネルであって、たとえば１本または複数本の指がタッチパネル３８に触れたことを検出可能である。また、タッチパネル３８は、その表面（上面）を指で、押したり、撫でたり、触れたりすることにより操作されると、その操作を検出する。具体的には、タッチ検出部として機能するタッチパネル制御回路３６は、タッチパネル３８に指が触れると、その指の位置を特定し、操作された位置を示す座標のデータ（座標データ）をプロセッサ２４に出力する。つまり、使用者は、タッチパネル３８の上面を指で、押したり、撫でたり、触れたりすることによって、操作の位置、操作の方向や図形などを携帯電話機１０に入力することができる。
【００３６】
以下、この実施例においては、使用者がタッチパネル３８の上面を指で触れる操作を「タッチ」と言うことにする。一方、タッチパネル３８から指を離す操作を「リリース」と言うことにする。また、タッチパネル３８の上面を指で撫でる操作を「スライド」と言うことにする。ただし、タッチパネル３８の上面に指を接触したまま所定時間（たとえば、５０ｍｓ）内に所定距離（たとえば、５０ドット）以上動かし（スライドし）、指をリリースする操作を「フック」と言うことにする。そして、タッチによって示された座標を「タッチ点（タッチ開始位置）」、リリースによって示された座標を「リリース点（タッチ終了位置）」と言うことにする。さらに、使用者がタッチパネル３８の上面をタッチし、続けてリリースする操作を「タッチアンドリリース」と言うことにする。そして、タッチ、リリース、スライドおよびタッチアンドリリースなどのタッチパネル３８に対して行う操作を、総じて「タッチ操作」と言うことにする。
【００３７】
なお、タッチ操作は指だけに限らず、導電体が先端に取り付けられたタッチペンなど、その他の物体によって行われてもよい。また、タッチパネル３８の検出方式には、表面型の静電容量方式が採用されてもよいし、抵抗膜方式、超音波方式、赤外線方式および電磁誘導方式などであってもよい。
【００３８】
近接センサ４０は、図示は省略するが、発光素子である赤外ＬＥＤと受光素子であるフォトダイオードとから構成される。プロセッサ２４は、フォトダイオードの出力の変化から、近接センサ４０（当該携帯電話機１０）が使用者の顔に接近したかどうかを判断する。具体的には、赤外ＬＥＤは、赤外線を発光し、フォトダイオードは、使用者の顔などで反射した赤外線を受光する。つまり、フォトダイオードが使用者の顔から遠い場合には、赤外ＬＥＤが発光した赤外線はフォトダイオードによって受光されないが、近接センサ４０が使用者の顔に接近すると、赤外ＬＥＤが発光した赤外線はフォトダイオードによって受光される。このように、フォトダイオードでは、近接センサ４０が使用者の顔に接近している場合とそうでない場合とで赤外線の受光量が変化するため、これを検出したプロセッサ２４は、赤外線の受光量によって、近接センサ４０（当該携帯電話機１０）が使用者の顔に接近しているかどうかを判断することができる。
【００３９】
なお、本実施例では、近接センサ４０として、赤外線を利用する赤外線型の近接センサを用いるようにしてあるが、コンデンサの静電容量の変化を利用する静電容量型の近接センサや、超音波の反射を利用する超音波型の近接センサなどを用いるようにしてもよい。
【００４０】
無線通信回路１４は、ＣＤＭＡ方式での無線通信を行うための回路である。たとえば、使用者がキー入力装置２６を用いて音声発信を指示すると、無線通信回路１４は、プロセッサ２４の指示の下、音声発信処理を実行し、アンテナ１２を介して音声発信信号を出力する。音声発信信号は、基地局および通信網（図示せず）を経て相手の電話機に送信される。そして、相手の電話機において着信処理が行われると、通信可能状態（接続状態）が確立され、プロセッサ２４は通話処理を実行する。
【００４１】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話音声信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４２】
また、相手の電話機からの発信信号がアンテナ１２によって受信されると、つまり着信があると、無線通信回路１４は、音声着信（着呼と言うこともある）をプロセッサ２４に通知する。これに応じて、プロセッサ２４は、表示ドライバ２８を制御して、着信通知に記述された発信元情報（発信者（相手）の名称など）をディスプレイ３０に表示する。また、これとほぼ同時に、プロセッサ２４は、図示しないスピーカから着信音（着信メロディ、着信音声と言うこともある）を出力させる。
【００４３】
なお、携帯電話機１０に振動装置（バイブレータ）やＬＥＤが設けられる場合には、それらを駆動することによって、振動や発光(明滅）或いはそれら両方によって、着信を通知することもできる。これは、上述の着信音と共に実行されてもよい。
【００４４】
そして、使用者が、着信に応答することを指示すると、無線通信回路１４は、プロセッサ２４の指示の下、音声着信処理を実行し、通信可能状態が確立され、プロセッサ２４は上述した通常の通話処理を実行する。
【００４５】
後述するように、着信に対する対応を実行する場合には、２つの画面で操作する必要があるため、誤操作を防止することができる。たとえば、通話キー２６ａは筐体５０の表面に設けられているため、鞄の中に携帯電話機１０を収納している場合に、鞄の中の物が通話キー２６ａを押してしまうような不都合を回避することができる。
【００４６】
また、通話可能状態に移行した後に終話キー２６ｃによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４７】
また、携帯電話機１０は、ネットワークに接続されるサーバとのデータ通信を確立することで、複数の機能を実行することができる。たとえば、携帯電話機１０は、メールサーバ（図示せず）とのデータ通信を確立することで、メールの送受信を行うメール機能や、サーバが公開するデータを取得するブラウザ機能を実行する事ができる。
【００４８】
図２（Ａ）は、携帯電話機１０の表面の外観を示す外観図であり、図２（Ｂ）は携帯電話機１０の裏面の外観を示す外観図である。図２（Ａ）を参照して、携帯電話機１０は、ストレート型の形状であり、平面矩形の筐体５０を有する。上述のマイク１８は、筐体５０に内蔵される。内蔵されたマイク１８に通じる開口ＯＰ２は、筐体５０の表面であり、筐体５０の長手方向の一方端に設けられる。同様に、上述のスピーカ２２は、筐体５０に内蔵される。内蔵されたスピーカ２２に通じる開口ＯＰ１は、筐体５０の表面であり、筐体５０の長手方向の他方端に設けられる。ディスプレイ３０は、モニタ画面が筐体５０から露出するように取り付けられる。図２（Ａ）では表現することができないが、ディスプレイ３０の上面（前面）には、上述したタッチパネル３８が設けられる。
【００４９】
また、図２（Ａ）に示すように、キー入力装置２６は、通話キー２６ａ、機能キー２６ｂおよび終話キー２６ｃを含む。そして、これらのキーは筐体５０の表面であり、ディスプレイ３０と開口ＯＰ２との間に設けられる。
【００５０】
たとえば、使用者は、ディスプレイ３０に表示されたダイヤルキーに対して、タッチ操作を行うことで電話番号を入力し、通話キー２６ａによって音声発信操作を行う。そして、使用者は、通話が終了すると、終話キー２６ｃによって通話終了操作を行う。また、使用者は、ディスプレイ３０に表示されたソフトキーおよびメニューに対してタッチ操作を行うことで、メニューの選択や確定を行う。そして、使用者は、終話キー２６ｃを長押しすることで携帯電話機１０の電源をオン／オフする。
【００５１】
なお、アンテナ１２、無線通信回路１４、Ａ／Ｄ変換器１６、Ｄ／Ａ変換器２０、プロセッサ２４、表示ドライバ２８、フラッシュメモリ３２、ＲＡＭ３４およびタッチパネル制御回路３６は筐体５０に内蔵されているため、図２（Ａ）、（Ｂ）では省略してある。
【００５２】
ここで、この実施例の携帯電話機１０の着信時の操作について説明することにする。他の電話機から着信があると、携帯電話機１０では、図３（Ａ）に示すような対応選択画面６０がディスプレイ３０に表示される。この対応選択画面６０は、他の電話機からの着信に対する対応を選択するためのものである。図３（Ａ）に示すように、対応選択画面６０には、表示領域６０ａおよび表示領域６０ｂが設けられる。
【００５３】
表示領域６０ａ（後述する、表示領域７０ａ、８０ａおよび９０ａも同じ）には、電波強度、バッテリの残量、月日および時刻が表示される。表示領域６０ｂには、発信元情報６００が表示される。この実施例では、発信元情報は、発信者について登録した画像６００ａと、当該画像６００ａの下方に表示される発信者の名称、発信者が使用している端末の電話番号、および発信者が使用している端末の種別（携帯または家電）とを含む。図示は省略するが、画像６００ａは、発信者の顔写真や予め携帯電話機１０に登録されているまたはダウンロードした画像（キャラクタ画像）である。ただし、発信者について画像が登録されていない場合には、その旨（画像なし）が記載されたカードの画像６００ａが表示される。また、発信者の名称は、発信者について登録した氏名やニックネームなどである。
【００５４】
また、表示領域６０ｂには、発信者情報６００の上方に、ボタン画像６０２が表示されるとともに、発信者情報６００の下方に、ボタン画像６０４およびボタン画像６０６が並んで表示される。ボタン画像６０２は、着信に対して応答する(accept)ことを選択するために設けられる。ボタン画像６０４は、着信を無視する(ignore)ことを選択するために設けられる。ボタン画像６０６は、着信を無視するとともにその着信の発信者（発信元）にメッセージを送信する(ignore with text)ことを選択するために設けられる。
【００５５】
図示は省略するが、ボタン画像６０２−６０６の各操作領域に対応して、タッチパネル３８の検出範囲が設定されている。つまり、各検出範囲についての座標データ群が、対応選択画面６０に関連付けられるとともに、対応するボタン画像６０２−６０６を識別可能に、ＲＡＭ３４に記憶される。
【００５６】
したがって、タッチパネル３８から座標データが入力されると、この座標データがボタン画像６０２−６０６の操作領域に対応する検出範囲内であるかどうかが判断される。つまり、タッチパネル３８から入力される座標データが示すタッチ点がボタン画像６０２−６０６の操作領域（表示領域）内であるかどうかが判断される。座標データが、いずれかの検出範囲内である場合には、その検出範囲が設定された操作領域に対応するボタン画像６０２−６０６に設定された（割り当てられた）対応（機能）が選択される。ただし、ボタン画像６０２−６０６に設定された操作領域に対応する検出範囲外の座標が検出された場合には、ボタン画像６０２−６０６の操作領域とは異なる領域ないし位置がタッチされたことが判断される。かかる場合には、ボタン画像６０２−６０６に設定された対応が選択されることはない。
【００５７】
なお、この実施例では、ボタン画像６０２−６０６をタッチすることにより、対応を選択するようにしてあるが、キー入力装置２６を用いて選択するようにしてもよい。たとえば、通話キー２６ａがオンされると、着信に応答することが選択され、終話キー２６ｃがオンされると、着信を無視することが選択され、そして、機能キー２６ｂがオンされると、着信を無視するとともにメッセージを送信することが選択される。
【００５８】
ボタン画像６０２−６０６のいずれかがタッチされ、対応が選択されると、図３（Ｂ）に示すような実行画面７０がディスプレイ３０に表示される。ただし、図３（Ｂ）では、図３（Ａ）に示した対応選択画面６０において、ボタン画像６０２がタッチされ、着信に応答することが選択された場合についての実行画面７０を示してある。
【００５９】
図３（Ｂ）に示すように、実行画面７０は、表示領域７０ａおよび表示領域７０ｂを含む。表示領域７０ａには、上述したように、電波強度などの情報が表示される。表示領域７０ｂには、発信者情報７００、オブジェクト画像７０２、指標画像７０４および文字列７０６が表示される。発信者情報７００は、上述した発信者情報６００と同じであり、発信者について登録した画像７００ａ、発信者の名称、発信者が使用している端末の電話番号、および発信者が使用している端末の種別を含む。
【００６０】
オブジェクト画像７０２は、対応選択画面６０で選択された対応を実行することを指示するために設けられる。指標画像７０４は、対応選択画面６０で選択された対応を実行するための操作を使用者に報知するために表示される。図３（Ｂ）に示す実行画面７０では、大きさの異なるＶの字が縦に並んだ指標画像７０４が表示される。文字列７０６は、対応選択画面６０で選択された対応を表示するテキストである。上述したように、図３（Ｂ）では、着信に応答することが選択された場合の実行画面７０が示されるため、ここでは、“応答”の文字列７０６が表示される。図示は省略するが、着信を無視することが選択された場合には、“無視”の文字列７０６が表示され、着信を無視するとともに当該着信の発信元にメッセージを送信することが選択された場合には、“無視＋メッセージ”の文字列７０６が表示される。
【００６１】
この実施例では、図４（Ａ）に示すように、使用者がオブジェクト画像７０２をタッチし、スライドすると、このスライドに従って、つまりタッチ点の移動に従ってオブジェクト画像７０２が実行画面７０上を移動される。この実施例では、図４（Ｂ）に示すように、指標画像７０４に従って、使用者がスライドすることによりオブジェクト画像７０２を下方向に移動させると、対応選択画面６０で選択された対応が実行される。ただし、スライドの距離（タッチ点の変位量）は、所定距離（たとえば、数十ドット）以上である。
【００６２】
図示は省略するが、誤操作を防止するため、リリースの状態からオブジェクト画像７０２をタッチし、そのまま（リリースしないで）スライドが実行された場合に、オブジェクト画像７０２が移動されるようにしてある。オブジェクト画像７０２が移動されない場合のスライドは、その距離が所定距離以上であっても無効である。
【００６３】
また、図示は省略するが、所定距離以上スライドせずに、リリースした場合には、スライドをやり直すべく、オブジェクト画像７０２は初期位置に戻される。
【００６４】
さらに、スライドの方向は、下方向であれば、斜め方向であっても構わない。これは座標データが示す座標のうち、上下方向を示す成分の変化に基づいて判断することができる。たとえば、図４（Ａ）に示すように、タッチパネル３８の座標系では、その横方向がＸ軸方向に設定され、その縦方向がＹ軸方向に設定される。さらに、右方向がＸ軸のプラス方向であり、上方向がＹ軸のプラス方向である。したがって、タッチ位置の座標のＹ軸成分が減少する場合に、オブジェクト画像７０２が下方向に移動されていることが分かる。
【００６５】
また、スライドの距離は、最初にオブジェクト画像７０２をタッチしたときのタッチ点（タッチ開始位置）と、現在のタッチ点（タッチ現在位置）との差分である。または、スライドの距離は、タッチした軌跡の長さであってもよい。かかる場合には、所定時間（１フレーム）毎に、現フレームのタッチ点と前フレームのタッチ点との距離が算出され、累積される。ただし、スライドの距離に代えて、オブジェクト画像７０２の移動距離を求めるようにしてもよい。
【００６６】
なお、この実施例では、対応を実行することを指示する場合には、所定方向に所定距離以上スライドするようにしてあるが、スライドの方向に拘わらず、所定距離以上のスライドを検知した場合に、選択した対応を実行することを指示するようにしてもよい。
【００６７】
また、この実施例では、スライドに従ってオブジェクト画像７０２を移動させるようにしてあるが、オブジェクト画像７０２は移動させなくてもよい。
【００６８】
さらに、この実施例では、出来る限り誤操作を防止するために、オブジェクト画像７０２を移動させるように、使用者にスライドさせるようにしてあるが、実行画面７０において、オブジェクト画像７０２をタッチさせるだけでも、或る程度誤操作を防止することは可能である。つまり、この実施例では、対応選択画面６０において対応を選択した後に、実行画面７０において、選択された対応を実行することを指示するようにしており、対応選択画面６０において対応が選択されただけでその対応が実行されてしまうことが無いからである。
【００６９】
詳細な説明は省略するが、実行画面７０において、所定時間（たとえば、３０秒）以上オブジェクト画像７０２がタッチされない場合、オブジェクト画像７０２の操作領域の範囲（対応する検出範囲）外の同じ位置を所定時間（たとえば、５秒）以上タッチし続ける場合、またはオブジェクト画像７０２の操作領域の範囲外の領域で所定回数（たとえば、３回）以上連続してタッチした場合には、発信元の電話機との通信を切断したり、着信を保留したり、留守録を開始したりするようにしてもよい。
【００７０】
また、詳細な説明は省略するが、図３（Ａ）および図３（Ｂ）から分かるように、対応選択画面６０に表示されるボタン画像６０２−６０６と、実行画面７０に設けられるオブジェクト画像７０２とは、ディスプレイ３０の表示領域において、互いに重ならない位置に設定されている。また、上述したように、オブジェクト画像７０２は、リリースされた状態からタッチされた場合にのみ、移動される。このため、対応選択画面６０が表示されている場合に、誤っていずれかのボタン画像６０２−６０６がタッチされ、続けてスライドが実行されたとしても、実行画面７０において、オブジェクト画像７０２が移動されることはほとんど無い。つまり、使用者が意図せずに、着信に対して何らかの対応が実行されてしまうことを、可及的に防止することができる。
【００７１】
図３（Ａ）に示される対応選択画面６０において、ボタン画像６０２がタッチされ、着信に対して応答することが選択され、実行画面７０において、その実行が指示されると、発信元の端末(電話機）との間で通信可能状態が確立された後に、通常の通話処理が実行される。このとき、図５（Ａ）に示すような、通話中画面８０がディスプレイ３０に表示される。図５（Ａ）に示すように、通話中画面８０は、表示領域８０ａおよび表示領域８０ｂを含む。表示領域８０ａには、電話強度などが表示され、表示領域８０ｂには、通話開始からの時間（通話時間）が表示される。
【００７２】
図示は省略するが、通話処理が開始され、携帯電話機１０が使用者の顔（耳）に接近され、そのことがプロセッサ２４によって近接センサ４０からの受光量に基づいて検出されると、ディスプレイ３０の電源がオフされる。これは、無駄な消費電力を削減するためである。つまり、通話中に、通話相手と会話している場合には、使用者はディスプレイ３０を見ないためである。同様に、通話中に、通話相手と会話している場合には、タッチパネル３８を操作しないため、タッチパネル３８の電源もオフされる。
【００７３】
なお、近接センサ４０を設けない場合には、通話処理が開始され、所定時間（たとえば、３秒から１５秒）が経過すると、ディスプレイ３０やタッチパネル３８の電源がオフされるようにしてもよい。たとえば、所定時間は、使用者が設定可能である。
【００７４】
また、図３（Ａ）に示される対応選択画面６０において、ボタン画像６０４がタッチされ、着信を無視することが選択され、実行画面７０において、その実行が指示されると、携帯電話機１０は通信を切断する。つまり、応答せずに、電話を切るのである。したがって、着信音の出力（再生）が停止される。ただし、マナーモードが設定されており、バイブレータが動作されている場合には、その動作（駆動）が停止される。または、着信音が出力されるとともに、バイブレータが動作されている場合には、その両方が停止される。なお、着信をＬＥＤのような照明装置の点灯または明滅で表現する場合には、照明装置が消灯される。このように、携帯電話機１０が通信を切断すると、これに応じて、発信元の電話機も通信を切断する。つまり、発信を終了する。
【００７５】
さらに、図３（Ａ）に示される対応選択画面６０において、ボタン画像６０６がタッチされ、着信を無視するとともにメッセージを送信することが選択され、図３（Ｂ）に示される実行画面７０において、その実行が指示されると、着信を無視した後に、携帯電話機１０の通信が切断された後に、メッセージを作成および送信する処理が実行される。
【００７６】
なお、着信を無視する場合の動作については、上述したとおりであるため、重複した説明は省略する。
【００７７】
着信が無視され、メッセージを作成および送信する場合には、まず、図５（Ｂ）に示すようなメッセージ作成画面９０がディスプレイ３０に表示される。このメッセージ選択画面９０は、表示領域９０ａ、表示領域９０ｂ、表示領域９０ｃおよび表示領域９０ｄを含む。
【００７８】
表示領域９０ａには、電波強度などが表示され、表示領域９０ｂには、メッセージの宛先として、無視する着信の発信元すなわち発信者の電話機の電話番号が表示される。ただし、発信者情報を携帯電話機１０のアドレス帳に登録してある場合には、発信者の名称を表示するようにしてもよい。表示領域９０ｃには、メッセージの入力画面が表示される。表示領域９０ｄには、ソフトキー１００などが表示される。たとえば、ソフトキー１００は、アルファベット、記号および数字を入力するためのボタン画像を含む。また、メッセージの作成を終了およびメッセージの送信を指示するためのボタン画像１０２が表示される。
【００７９】
図示は省略するが、ソフトキー１００の各ボタン画像およびボタン画像１０２の表示領域に対応して操作領域が設定されており、各操作領域に対応してタッチパネル３８の検出範囲が設定されている。具体的には、各ボタン画像の操作領域に対応するタッチパネル３８の検出範囲を規定する座標データ群が、このメッセージ作成画面９０に関連づけられてＲＡＭ３４に記憶される。ただし、ボタン画像に対応する検出範囲は四角形であるため、その４つの頂点または対角の２つの頂点の座標についての座標データが記憶されてもよい。ただし、いずれのボタン画像の検出範囲についての座標データが識別可能に記憶される。
【００８０】
したがって、使用者がソフトキー１００をタッチ操作すると、対応する文字（ここでは、アルファベット、記号または数字）が表示領域９０ｃに入力（表示）される。ただし、ローマ字入力の場合には、アルファベットがかな文字に変換される。図示は省略するが、日本語（かな文字）による入力を行う場合には、ソフトキー１００には、平仮名文字が表示される。
【００８１】
また、使用者がボタン画像１０２をタッチすると、メッセージの作成が終了されるとともに、作成したメッセージが表示領域９０ｂに表示された宛先の端末に、たとえば、ショートメッセージサービス（ＳＭＳ）で送信される。ただし、携帯電話機１０が電子メール機能を備える場合には、電子メールで発信者の電話機にメッセージを送信してもよい。かかる場合には、宛先には、電話機に設定されたメールアドレスが入力され、作成されたメッセージが電子メールの本文に設定される。
【００８２】
なお、この実施例では、対応選択画面６０において、着信を無視するとともにメッセージを送信することが選択された場合には、通信を切断した後に、即時にメッセージを作成するようにしてあるが、予め作成しておいた１または複数のメッセージから１つのメッセージを選択して、送信するようにしてもよい。かかる場合には、メッセージ作成画面９０に代えて、予め作成したメッセージを選択および送信するための画面（図示せず）を表示するようにすればよい。
【００８３】
また、通話中に、他の電話機からの着信（割り込み着信）があると、使用者が携帯電話機１０を顔（耳）から離したときに、ディスプレイ３０およびタッチパネル３８の電源がオンされ、対応選択画面６０が、現在通話中の通話相手についての通話中画面８０の前面に表示される。したがって、使用者は、上述したように、ボタン画像６０２、６０４、６０６をタッチすることにより、応答、無視、または、無視およびメッセージの送信を、割り込み着信に対して選択することができる。
【００８４】
このように割り込み着信がある場合には、使用者が携帯電話機１０を顔から離したときに、対応選択画面６０がディスプレイ３０に表示される。このことは、上述したように、割り込み着信でない場合の着信（以下、「通常の着信」ということがある）の場合とは異なる。
【００８５】
ただし、対応選択画面６０を用いて対応を選択する方法および対応の選択後に実行画面７０を用いて実行を指示する方法は、割り込み着信の場合も同じであるため、重複した説明は省略する。
【００８６】
割り込み着信に応答することが選択され、その実行の指示が有ると、割り込み着信の発信元との間で通信可能状態が確立され、割り込み着信の発信元との間で通話処理が実行される。このとき、先に通話処理を行っていた発信元との通話処理は保留される。割り込み着信の発信元との通話処理が終了すると、保留されていた先の通話処理が再開される。
【００８７】
また、割り込み着信を無視することが選択され、その実行の指示が有ると、割り込み着信の発信元との間で通信可能状態が確立され、留守録が開始される。留守録が開始されると、電話に出ることができない旨のメッセージについての音声信号が割り込み着信の発信元に送信され、その後、割り込み着信の発信元の電話機の使用者からのメッセージについての音声信号（受話音声信号）の録音が開始される。ただし、この留守録は、先の通話相手との通話処理と並列して実行される。留守録が終了すると、携帯電話機１０は割り込み着信の発信元との通信を切断する。たとえば、携帯電話機１０は、割り込み着信の発信元の電話機が通信を切断することにより、留守録が終了したことを検知し、したがって、割り込み着信の発信元の電話機との通信を切断する。
【００８８】
なお、留守録に代えて、留守番電話サービスを電話事業者が行う場合には、当該電話事業者が運用および管理するシステムに、メッセージが録音される。この場合には、割り込み着信を無視することが選択されると、携帯電話機１０は割り込み着信の発信元の電話機との通信を切断し、その後、割り込み着信の発信元の電話機は、電話事業者が運用および管理するシステムに接続され、当該発信元の電話機の使用者は、メッセージを録音することができる。
【００８９】
さらに、割り込み着信を無視するとともにメッセージを送信することが選択され、その実行の指示があると、上述したように、割り込み着信の発信元との通信可能状態が確立され、留守録が開始される。留守録が終了すると、携帯電話機１０は割り込み着信の発信元の電話機との通信を切断する。そして、メッセージ作成画面９０が、現在通話中の電話機についての通話中画面８０の前面に表示される。ただし、メッセージ作成画面９０の宛先には、割り込み着信の発信元の電話機の電話番号が入力される。メッセージの作成および送信については、上述したとおりであるため、重複した説明は省略する。
【００９０】
図６は図１に示したＲＡＭ３４のメモリマップ３００を示す図解図である。図６に示すように、ＲＡＭ３４は、プログラム記憶領域３０２およびデータ記憶領域３０４を含む。プログラム記憶領域３０２は、携帯電話機１０の制御プログラムを記憶し、この制御プログラムは、通話処理プログラム３１０、画面生成プログラム３１２、画面表示プログラム３１４、操作入力検出プログラム３１６、メッセージ作成プログラム３１８およびメッセージ送信プログラム３２０などによって構成される。
【００９１】
通話処理プログラム３１０は、上述したように、発信処理、着信処理、通常の通話処理および割り込みの処理を実行するためのプログラムである。画面生成プログラム３１２は、後述する画像データ３３４を用いて、ディスプレイ３０に表示する画面（６０、７０、８０、９０など）に対応する表示画像データを生成するためのプログラムである。画面表示プログラム３１４は、画面生成プログラム３１２に従って生成された表示画像データに対応する画面をディスプレイ３０に表示するためのプログラムである。
【００９２】
操作入力検出プログラム３１６は、キー入力装置２６から入力されるキーデータおよびタッチパネル３８からタッチパネル制御回路３６を介して入力される座標データを検出して、後述する操作データバッファ３３０に記憶（一時記憶）するためのプログラムである。メッセージ作成プログラム３１８は、メッセージ作成画面９０を用いて、使用者の指示に従ってメッセージを作成するためのプログラムである。メッセージ送信プログラム３２０は、メッセージ作成プログラム３１８に従って作成されたメッセージを、使用者の指示に従って宛先（発信元）の電話機に送信するためのプログラムである。
【００９３】
図示は省略するが、プログラム記憶領域３０２には、着信音（メロディ、音楽を出力（再生）するための音出力プログラムや各種機能（電子メール、アドレス帳、電卓、スケジュールなど）を実行するための各々のプログラムも記憶される。
【００９４】
データ記憶領域３０４には、操作データバッファ３３０が設けられる。また、データ記憶領域３０４には、検出範囲データ３３２および画像データ３３４が記憶される。さらに、データ記憶領域３０４には、応答フラグ３３６、無視１フラグ３３８および無視２フラグ３４０が設けられる。
【００９５】
操作データバッファ３３０は、キー入力装置２６から入力されたキーデータおよびタッチパネル３８から入力された座標データを一時記憶する。操作データバッファ３３０に一時記憶されたキーデータや座標データは、プロセッサ２４の処理に用いられた後、削除（消去）される。
【００９６】
検出範囲データ３３２は、上述したように、各画面に関連付けて記憶された検出範囲についての座標データ群であり、対応するボタン画像の操作領域を識別可能に記憶される。
【００９７】
画像データ３３４は、各画面（６０、７０、８０、９０など）についての表示画像データを生成するためのテンプレートの画像データやキャラクタ画像のデータなどである。
【００９８】
応答フラグ３３６は、着信に応答することが選択されたかどうかを判断するためのフラグであり、１ビットのレジスタによって構成される。たとえば、着信に応答することが選択された場合には、応答フラグ３３６はオンされ、レジスタにデータ値「１」が設定される。一方、着信に応答することが選択されていない場合には、応答フラグ３３６はオフされ、レジスタにデータ値「０」が設定される。
【００９９】
無視１フラグ３３８は、着信を無視することが選択されたかどうかを判断するためのフラグであり、１ビットのレジスタによって構成される。たとえば、着信を無視することが選択された場合には、無視１フラグ３３８はオンされ、レジスタにデータ値「１」が設定される。一方、着信を無視することが選択されていない場合には、無視１フラグ３３８はオフされ、レジスタにデータ値「０」が設定される。
【０１００】
無視２フラグ３４０は、着信を無視するとともにメッセージを送信することが選択されたかどうかを判断するためのフラグであり、１ビットのレジスタによって構成される。たとえば、着信を無視するとともにメッセージを送信することが選択された場合には、無視２フラグ３４０はオンされ、レジスタにデータ値「１」が設定される。一方、着信を無視するとともにメッセージを送信することが選択されていない場合には、無視２フラグ３４０はオフされ、レジスタにデータ値「０」が設定される。
【０１０１】
図示は省略するが、着信音（メロディ、音楽）についての音データなども記憶される。また、プロファイルやアドレス帳の読出しが指示されると、対応するデータがフラッシュメモリ３２からＲＡＭ３４にロードされる。また、留守録によって録音されたメッセージについての音声データは、一旦ＲＡＭ３４（データ記憶領域３０４）に記憶された後に、フラッシュメモリ３２に移動（保存）される。
【０１０２】
図７ないし図９は、図１に示すプロセッサ２４の全体処理を示すフロー図である。携帯電話機１０の電源がオンされると、プロセッサ２４は全体処理を開始し、ステップＳ１で、着信（通常の着信）が有るかどうかを判断する。つまり、プロッセサ２４は、他の電話機からの発信信号を受信したかどうかを判断する。ステップＳ１で“ＮＯ”であれば、つまり着信が無ければ、ステップＳ３で、その他の処理を実行して、ステップＳ１に戻る。たとえば、その他の処理としては、発信処理、発信処理による通常の通話処理、当該通話処理中の割り込み処理（図１０ないし図１２参照）、電子メールの受信、作成および送信の各処理、プロファイルやアドレス帳の登録および読み出し（参照）の各処理、電卓の計算処理、スケジュールの表示、入力および消去の各処理などである。ただし、後述する割り込み処理以外の処理は、既に周知であり、また、本件の本質的な内容では無いため、詳細な説明については省略する。
【０１０３】
一方、ステップＳ１で“ＹＥＳ”であれば、つまり着信が有れば、ステップＳ５で、図３（Ａ）に示したような対応選択画面６０をディスプレイ３０に表示する。図示は省略するが、このとき、プロセッサ２４は、着信音をスピーカ２２から出力させるなどする。続くステップＳ７では、応答することが選択されたかどうかを判断する。つまり、プロセッサ２４は、検出範囲データ３３２を参照して、タッチパネル３８から入力される座標データがボタン画像６０２の操作領域に対応する検出範囲内であるかどうかを判断する。
【０１０４】
ステップＳ７で“ＹＥＳ”であれば、つまり座標データがボタン画像６０２の操作領域に対応する検出範囲内である場合には、応答することが選択されたと判断して、ステップＳ９で、応答フラグ３３６をオンして、ステップＳ１９に進む。図示は省略するが、応答フラグ３３６がオンされると、無視１フラグ３３８および無視２フラグ３４０はオフされる。ただし、プロセッサ２４が全体処理を開始したときに、すべてのフラグ（３３６−３４０）をオフしておいてもよい。このことは、無視１フラグ３３８や無視２フラグ３４０がオンされる場合も同様である。
【０１０５】
一方、ステップＳ７で“ＮＯ”であれば、つまり座標データが入力されていない場合や座標データがボタン画像６０２の操作領域に対応する検出範囲外である場合には、応答することが選択されていないと判断して、ステップＳ１１で、無視することが選択されたかどうかを判断する。
【０１０６】
ステップＳ１１で“ＹＥＳ”であれば、つまり座標データがボタン画像６０４の操作領域に対応する検出範囲内である場合には、無視することが選択されたと判断して、ステップＳ１３で、無視１フラグ３３８をオンして、ステップＳ１９に進む。図示は省略するが、無視１フラグ３３８がオンされると、応答フラグ３３６および無視２フラグ３４０はオフされる。
【０１０７】
一方、ステップＳ１１で“ＮＯ”であれば、つまり座標データが入力されていない場合や座標データがボタン画像６０４の操作領域に対応する検出範囲外である場合には、無視することが選択されていないと判断して、ステップＳ１５で、無視するとともにメッセージを送信することが選択されたかどうかを判断する。
【０１０８】
ステップＳ１５で“ＹＥＳ”であれば、つまり座標データがボタン画像６０６の操作領域に対応する検出範囲内であれば、無視するとともにメッセージを送信することが選択されたと判断して、ステップＳ１７で、無視２フラグ３４０をオンして、ステップＳ１９に進む。図示は省略するが、無視２フラグ３４０がオンされると、応答フラグ３４６および無視１フラグ３３８はオフされる。
【０１０９】
一方、ステップＳ１５で“ＮＯ”であれば、つまり座標データが入力されていない場合や座標データがボタン画像６０６の操作領域に対応する検出範囲外である場合には、無視するとともにメッセージを送信することが選択されていないと判断して、ステップＳ７に戻る。
【０１１０】
なお、この実施例では、ステップＳ１５で“ＮＯ”の場合、すなわち、ボタン画像６０２−６０６のいずれもがタッチされていない（対応選択指示が無い）場合には、そのままステップＳ７に戻るようにしてあるが、これに限定される必要はない。たとえば、所定時間（たとえば、３０秒）以上ボタン画像６０２−６０６がタッチされない場合、ボタン画像６０２−６０６の操作領域の範囲（対応する検出範囲）外の同じ位置を所定時間（たとえば、５秒）以上タッチし続ける場合、またはボタン画像６０２−６０６の操作領域の範囲外の領域で所定回数（たとえば、３回）以上連続してタッチした場合には、発信元の電話機との通信を切断したり、着信を保留したり、留守録を開始したりするようにしてもよい。このことは、後述する割り込み処理において、対応の選択の有無を検出する場合も同様である。
【０１１１】
ステップＳ１９では、図３（Ｂ）に示したような実行画面７０をディスプレイ３０に表示する。詳細な説明は省略するが、ステップＳ１９で表示される実行画面７０は、応答フラグ３３６、無視１フラグ３３８、無視２フラグ３４０のいずれがオンされたかに応じて、文字列７０６の内容が異なる。続いて、ステップＳ２１では、実行の指示があるかどうかを判断する。この実施例では、プロセッサ２４は、ステップＳ２１において、リリースされた状態において、オブジェクト画像７０２がタッチされ、そのまま下方向に所定距離以上のスライドが実行されたかどうかを判断する。
【０１１２】
ステップＳ２１で“ＮＯ”であれば、つまり実行の指示が無ければ、そのままステップＳ２１に戻る。一方、ステップＳ２１で“ＹＥＳ”であれば、つまり実行の指示が有れば、図８に示すステップＳ２３に進む。
【０１１３】
なお、図７−図９では省略するが、ステップＳ１９の処理の後、ステップＳ２１で“ＹＥＳ”と判断されるまでは、図４（Ａ）および図４（Ｂ）に示したように、リリースされた状態において、オブジェクト画像７０２がタッチされ、そのままスライドされた場合には、そのスライドに従ってオブジェクト画像７０２が移動される様子の実行画面７０が表示される。ただし、所定距離以上スライドせずにリリースした場合には、オブジェクト画像７０２は初期位置に戻される。
【０１１４】
また、たとえば、所定時間（たとえば、３０秒）以上オブジェクト画像７０２がタッチされない場合、オブジェクト画像７０２の操作領域の範囲（対応する検出範囲）外の同じ位置を所定時間（たとえば、５秒）以上タッチし続ける場合、またはオブジェクト画像７０２の操作領域の範囲外の領域で所定回数（たとえば、３回）以上連続してタッチした場合には、発信元の電話機との通信を切断したり、着信を保留したり、留守録を開始したりするようにしてもよい。このことは、後述する割り込み処理において、実行の指示があるかどうかを判断する場合も同様である。
【０１１５】
図８に示すステップＳ２３では、応答フラグ３３６がオンであるかどうかを判断する。ステップＳ２３で“ＮＯ”であれば、つまり応答フラグ３３６がオフであれば、図９に示すステップＳ３９に進む。一方、ステップＳ２３で“ＹＥＳ”であれば、つまり応答フラグ３３６がオンであれば、ステップＳ２５で、発信元の電話機との間で通信可能状態（接続状態）を確立する。そして、ステップＳ２７で、通話処理を開始し、ステップＳ２９で、図５（Ａ）に示したような通話中画面８０をディスプレイ３０に表示する。
【０１１６】
図示は省略するが、通話処理が開始されると、プロセッサ２４は、通話相手からの受話音声信号を受信すると、この受話音声信号に対応する受話音声をスピーカ２２から出力し、一方、マイク１８を通して検出した使用者の音声（通話音声）を、送話音声信号として通話相手の電話機に送信する。
【０１１７】
続くステップＳ３１では、割り込み着信が有るかどうかを判断する。つまり、プロセッサ２４は、現在通話中の電話機とは異なる他の電話機からの着信があるかどうかを判断する。ステップＳ３１で“ＮＯ”であれば、つまり割り込み着信が無ければ、そのままステップＳ３５に進む。一方、ステップＳ３１で“ＹＥＳ”であれば、つまり割り込み着信が有れば、ステップＳ３３で、後述する割り込み処理（図１０−図１２参照）を開始して、ステップＳ３５に進む。ただし、割り込み処理は、プロセッサ２４によってマルチタスクで全体処理と並列的に実行される。
【０１１８】
そして、ステップＳ３５では、終話かどうかを判断する。つまり、プロセッサ２４は、通話相手から通話終了信号を受信したり、使用者が終話キー２６ｃを押したりしたかどうかを判断する。ステップＳ３５で“ＮＯ”であれば、つまり終話で無ければ、ステップＳ３１に戻って、通話処理を続行する。一方、ステップＳ３５で“ＹＥＳ”であれば、つまり終話であれば、ステップＳ３７で、通話処理を終了して、図７に示したステップＳ１に戻る。ステップＳ３７では、プロセッサ２４は、通話相手から通話終了信号を受信したことに応じて、通話処理を終了する。また、ステップＳ３７では、プロセッサ２４は、使用者によって終話キー２６ｃが押されたことに応じて、無線通信回路１４を制御して通話相手に通話終了信号を送信し、その後、通話処理を終了する。
【０１１９】
上述したように、ステップＳ２３で“ＮＯ”となり、図９に示すステップＳ３９に進むと、無視１フラグ３３８がオンであるかどうかを判断する。ステップＳ３９で“ＹＥＳ”であれば、つまり無視１フラグ３３８がオンであれば、ステップＳ４１で、通信を切断して、図７に示したステップＳ１に戻る。このとき、発信元の電話機では、当該携帯電話機１０が通信を切断したことに応じて、通信が切断される。
【０１２０】
一方、ステップＳ３９で“ＮＯ”であれば、つまり無視２フラグ３４０がオンであれば、ステップＳ４３で、通信を切断する。さらに、ステップＳ４５で、図５（Ｂ）に示したようなメッセージ作成画面９０をディスプレイ３０に表示する。続くステップＳ４７では、使用者の操作に従ってメッセージを作成する。つまり、本文の表示領域９０ｃに、ソフトキー１００の操作に従う文字などが入力（表示）される。ただし、プロセッサ２４は、検出範囲データ３３２を参照して、ソフトキー１００のうち、座標データが含まれる検出範囲に対応する操作領域が設定された表示領域に表示されたキー（ボタン画像）が示すアルファベット、記号または数字を入力する。
【０１２１】
次のステップＳ４９では、メッセージの作成終了かどうかを判断する。つまり、プロセッサ２４は、検出範囲データ３３２を参照して、座標データがボタン画像１０２の操作領域に対応する検出範囲内であるかどうかを判断する。ステップＳ４９で“ＮＯ”であれば、つまり座標データがボタン画像１０２の操作領域の検出範囲外であれば、メッセージの作成終了でないと判断して、ステップＳ４７に戻って、メッセージの作成を継続する。一方、ステップＳ４９で“ＹＥＳ”であれば、つまり座標データがボタン画像１０２の操作領域に対応する検出範囲内であれば、メッセージの作成終了であると判断して、ステップＳ５１で、作成したメッセージを発信元に送信して、ステップＳ１に戻る。
【０１２２】
図１０ないし図１２は、プロセッサ２４の割り込み処理を示すフロー図である。以下、この割り込み処理について説明するが、上述した全体処理における処理と同じ処理については簡単に説明することにする。
【０１２３】
図１０に示すように、プロセッサ２４は、割り込み処理を開始すると、ステップＳ６１で、使用者が携帯電話機１０を顔から離したかどうかを判断する。上述したように、プロセッサ２４は、近接センサ４０で検出される赤外線の受光量によって、この近接センサ４０（携帯電話機１０）が使用者の顔に接近しているかどうかを判断する。ステップＳ６１で“ＮＯ”であれば、つまり使用者が携帯電話機１０を顔から離していなければ、そのままステップＳ６１に戻る。
【０１２４】
なお、この実施例では、使用者が携帯電話機１０を顔から離していない場合には、そのまま同じステップＳ６１に戻るようにしてあるが、このような状態が所定時間（たとえば、５〜１０秒）以上続いた場合には、割り込み着信についての通信を切断したり、留守録を実行した後に通信を切断したりしてもよい。
【０１２５】
一方、ステップＳ６１で“ＹＥＳ”であれば、つまり使用者が携帯電話機１０を顔から離した場合には、ステップＳ６３で、図３（Ａ）に示したような対応選択画面６０をディスプレイ３０に表示する。このとき、対応選択画面６０は、現在通話中の通話相手についての通話中画面８０の前面に表示される。
【０１２６】
なお、図示は省略するが、ステップＳ６１で“ＹＥＳ”の場合には、ディスプレイ３０およびタッチパネル３８の電源がオンされた後に、ステップＳ６３の処理が実行される。
【０１２７】
続くステップＳ６５では、割り込み着信に応答することが選択されたかどうかを判断する。ステップＳ６５で“ＹＥＳ”であれば、つまり割り込み着信に応答することが選択されれば、ステップＳ６７で、応答フラグ３６６をオンして、ステップＳ７７に進む。
【０１２８】
一方、ステップＳ６５で“ＮＯ”であれば、つまり割り込み着信に応答することが選択されていなければ、ステップＳ６９で、割り込み着信を無視することが選択されたかどうかを判断する。ステップＳ６９で“ＹＥＳ”であれば、つまり割り込み着信を無視することが選択されれば、ステップＳ７１で、無視１フラグ３６８をオンして、ステップＳ７７に進む。
【０１２９】
一方、ステップＳ６９で“ＮＯ”であれば、つまり割り込み着信を無視することが選択されなければ、ステップＳ７３で、割り込み着信を無視するとともにメッセージを送信することが選択されたかどうかを判断する。ステップＳ７３で“ＮＯ”であれば、つまり割り込み着信を無視するとともにメッセージを送信することが選択されていなければ、そのままステップＳ６５に戻る。一方、ステップＳ７３で“ＹＥＳ”であれば、つまり割り込み着信を無視するとともにメッセージを送信することが選択されれば、ステップＳ７５で、無視２フラグ３４０をオンして、ステップＳ７７に進む。
【０１３０】
ステップＳ７７では、実行画面７０をディスプレイ３０に表示する。そして、ステップＳ７９では、実行の指示があるかどうかを判断する。ステップＳ７９で“ＮＯ”であれば、そのまま同じステップＳ７９に戻る。一方、ステップＳ７９で“ＹＥＳ”であれば、図１１に示すステップＳ８１で、応答フラグ３３６がオンであるかどうかを判断する。
【０１３１】
ステップＳ８１で“ＮＯ”であれば、図１２に示すステップＳ９７に進む。一方、ステップＳ８１で“ＹＥＳ”であれば、ステップＳ８３で、先の通話相手との通話を保留し、ステップＳ８５で、割り込み着信の発信元の電話機との間で通信可能状態を確立し、そして、ステップＳ８７で、割り込みの通話処理を開始する。ただし、先の通話相手との通話が保留にされた場合には、全体処理では、ステップＳ３５の処理が停止（一時停止）された状態になる。
【０１３２】
続くステップＳ８９では、割り込みの通話処理についての通話中画面８０をディスプレイ３０に表示する。そして、ステップＳ９１では、終話かどうかを判断する。ステップＳ９１で“ＮＯ”であれば、同じステップＳ９１に戻る。一方、ステップＳ９１で“ＹＥＳ”であれば、ステップＳ９３で、割り込み着信についての通話処理を終了する。そして、ステップＳ９５で、保留中の通話相手の電話機との通話処理を再開して、割り込み処理を終了する。つまり、ステップＳ９５では、停止(一時停止）中のステップＳ３５の処理の実行が再開される。
【０１３３】
上述したように、ステップＳ８１で“ＮＯ”となり、図１２に示すステップＳ９７に進むと、無視１フラグ３６８がオンであるかどうかを判断する。ステップＳ９７で“ＹＥＳ”であれば、ステップＳ９９で、割り込み着信の発信元の電話機との間で通信可能状態（接続状態）を確立し、ステップＳ１０１で、留守録を開始する。ここでは、プロセッサ２４は、電話に出ることができない旨のメッセージについての音声信号を割り込み着信の発信元に送信し、割り込み着信の発信元の電話機の使用者からの受話音声信号の録音を開始する。図示は省略するが、録音する受話音声信号は、ＲＡＭ３４に一時記憶される。
【０１３４】
次のステップＳ１０３では、留守録を終了するかどうかを判断する。つまり、プロセッサ２４は、割り込み着信の発信元の電話機が通信を切断したかどうかを判断する。ステップＳ１０３で“ＮＯ”であれば、つまり留守録を終了しない場合には、同じステップＳ８７に戻って、留守録を継続する。一方、ステップＳ１０３で“ＹＥＳ”であれば、つまり留守録を終了する場合には、ステップＳ１−０５で、通信を切断して、図１１に示したように、割り込み処理を終了する。図示は省略するが、留守録を終了すると、ＲＡＭ３４に一時記憶された受話音声信号（メッセージの音声信号）がフラッシュメモリ３２に保存される。
【０１３５】
また、ステップＳ９７で“ＮＯ”であれば、ステップＳ１０７で、割り込み着信の発信元の電話機との間で通信可能状態を確立し、ステップＳ１０９で、留守録を開始する。そして、ステップＳ１１１で、留守録を終了するかどうかを判断する。ステップＳ１１１で“ＮＯ”であれば、同じステップＳ１１１に戻って、留守録を継続する。一方、ステップＳ１１１で“ＹＥＳ”であれば、ステップＳ１１３で、割り込み着信の発信元との通信を切断して、ステップＳ１１５で、図５（Ｂ）に示したようなメッセージ作成画面９０をディスプレイ３０に表示する。
【０１３６】
続くステップＳ１１７では、使用者の操作に従ってメッセージを作成する。そして、ステップＳ１１９で、メッセージの作成を終了するかどうかを判断する。ステップＳ１１９で“ＮＯ”であれば、ステップＳ１１７に戻って、メッセージの作成を継続する。一方、ステップＳ１１９で“ＹＥＳ”であれば、ステップＳ１２１で、作成したメッセージを発信元に送信して、割り込み処理を終了する。
【０１３７】
この実施例によれば、対応選択画面で着信に対する対応が選択されると、実行画面を表示して、選択された対応を実行するための操作を実行させるので、１回のタッチで着信に対する対応を選択して実行する場合に比べて誤操作を防止することができる。つまり、使用者が意図しない操作によって着信に対応することを防止することができる。
【０１３８】
また、この実施例では、実行画面において、オブジェクト画像を移動させるように所定距離以上のスライドを実行しなければ、対応選択画面で選択された対応が実行されることが無いため、鞄やケースなどから携帯電話機を取り出す際に、誤って対応を選択してしまった場合であっても、そのまま実行されることを或る程度の高い割合で防止することができる。
【０１３９】
他の実施例の携帯電話機１０は、対応選択画面および実行画面と、実行画面における操作方法の一部が異なる以外は、上述の実施例と同じであるため、重複した説明は省略する。以下、対応選択画面および実行画面のそれぞれと、それらの操作方法について説明するが、上述の実施例で説明した内容と同じ内容については簡単に説明することにする。
【０１４０】
図１３（Ａ）に示すように、他の実施例の対応選択画面１２０は、表示領域１０２ａおよび表示領域１２０ｂを含む。表示領域１２０ａには、上述したように、電波強度などの情報が表示される。表示領域１２０ｂには、発信者情報１２００が表示され、その背面にオブジェクト画像１２０２が表示される。このオブジェクト画像１２０２では、その下端にボタン画像１２０２ａが表示され、その左端にボタン画像１２０２ｂが表示され、そして、その右端にボタン画像１２０２ｃが表示される。発信者情報１２００は、上述の実施例で説明したとおりである。
【０１４１】
オブジェクト画像１２０２は、たとえば、シール、紙切れ、または布切れを模した画像であり、この対応選択画面１２０においては、たとえば、白色で示される。ボタン画像１２０２ａは、着信に応答することを選択するために設けられる。また、ボタン画像１２０２ｂは、着信を無視することを選択するために設けられる。さらに、ボタン画像１２０２ｃは、着信を無視するとともにメッセージを送信することを選択するために設けられる。図面では分かり難いが、ボタン画像１２０２ａ−１２０２ｃのそれぞれには、互いに異なる所定の色が付されるとともに、割り当てられた対応を示す画像ないし図記号が表示されている。
【０１４２】
なお、図１３（Ａ）では、ボタン１２０２ａ−１２０２ｃのそれぞれに、互いに異なる色が付されていることを、網掛、斜線、ドットの模様を付すことで識別可能に示してある。また、ボタン１２０２ａ−１２０２ｃのそれぞれに割り当てられた対応を示すために、受話機を模した画像と郵便（封筒）を模した画像とを示してある。
【０１４３】
また、上述の実施例と同様に、ボタン画像１２０２ａ−１２０２ｃの各操作領域に対応して、タッチパネル３８の検出範囲が設定されている。したがって、タッチパネル３８から座標データが入力されると、この座標データがボタン画像１２０２ａ−１２０２ｃの操作領域に対応する検出範囲内であるかどうかが判断される。
【０１４４】
ボタン画像１２０２ａ−１２０２ｃのいずれかがタッチされると、実行画面が表示される。たとえば、図１３（Ａ）に示す対応選択画面１３０において、ボタン画像１２０２ｂがタッチされると、図１３（Ｂ）に示すような実行画面１３０がディスプレイ３０に表示される。つまり、着信を無視する場合の実行画面１３０が表示される。図１３（Ｂ）に示す実行画面１３０では、表示領域１３０ａおよび表示領域１３０ｂが設けられる。表示領域１３０ａには、上述したように、電波強度などの情報が表示される。
【０１４５】
表示領域１３０ｂには、発信者情報１３００が表示され、その背面にオブジェクト画像１３０２が表示される。このオブジェクト画像１３０２は、対応選択画面１２０に表示されたオブジェクト画像１２０２が変化したものである。具体的には、オブジェクト画像１３０２は、その左端を丸めた状態で、所定の色を付されて表示される。つまり、対応選択画面１２０でボタン画像１２０２ｂがタッチされたことに応じて、オブジェクト画像１３０２では、当該ボタン画像１２０２ｂが表示された左端の部分が丸めた状態にされ、また、当該ボタン画像１２０２ｂに付された色と同じ色がその表面に付される。
【０１４６】
なお、図面では、ボタン画像１２０２ｂに付された模様と同じ模様をオブジェクト画像１３０２に付すことにより、同じ色が付されていることを表現してある。他のボタン画像１２０２ａ、１２０２ｃがタッチされた場合の実行画面１３０についても同様である。
【０１４７】
また、図１３（Ａ）に示す対応選択画面１２０でボタン画像１２０２ａがタッチされると、図１４（Ａ）に示すように、着信に応答することが選択された場合の実行画面１３０が表示される。この図１４（Ａ）に示す実行画面１３０は、オブジェクト画像１３０２が異なる以外は、図１３（Ｂ）に示した実行画面１３０と同じであるため、重複した説明は省略する。
【０１４８】
図１４（Ａ）に示すように、オブジェクト画像１３０２では、ボタン画像１２０２ａが表示された下端の部分が丸められ、また、当該ボタン画像１２０２ａに付された色と同じ色がその表面に付されるのである。
【０１４９】
他の実施例では、上述の実施例に示したような指標画像（７０４）は実行画面１３０に表示されていないが、オブジェクト画像１３０２のいずれかの端部が丸められた状態で表示されることにより、オブジェクト画像１３０２をめくる動作（はがす動作）を促すようにしてある。
【０１５０】
なお、図面では表現できないが、オブジェクト画像１３０２がふわふわと波打つようなアニメーション画像を表示するようにすれば、めくる動作を効果的に促すことができる。
【０１５１】
たとえば、実行画面１３０が表示された当初において、オブジェクト画像１３０２のうち、丸められた部分１３０２ａにのみ操作領域が設定され、この操作領域に対応してタッチパネル３８に検出領域が設定される。
【０１５２】
この他の実施例では、リリースの状態からオブジェクト画像１３０２のうちの丸められた部分１３０２ａをタッチし、タッチした状態のまま、所定方向に所定距離（たとえば、数十ドット）以上スライドすると、対応選択画面１２０で選択された対応の実行を指示することができる。
【０１５３】
具体的には、図１４（Ａ）に示す実行画面１３０では、丸められた部分１３０２ａがタッチされ、上方向にスライドを実行すると、図１４（Ｂ）に示すように、スライドに従ってオブジェクト画像１３０２が丸められ、所定距離スライドすると、図１４（Ｃ）に示すように、オブジェクト画像１３０２のすべてが丸められる（巻き取られる）。つまり、オブジェクト画像１３０２がめくられる。これによって、対応選択画面１２０で選択された対応の実行が指示される。
【０１５４】
なお、タッチパネル３８から入力される座標データが示すＹ座標の値が増加している場合に、上方向にスライドしていると判断することができる。
【０１５５】
ただし、スライドの距離については、上述の実施例で説明したとおりであるため、重複した説明は省略する。以下、他の実施例において同じ。
【０１５６】
図示は省略するが、図１３（Ｂ）に示した実行画面１３０では、リリースした状態から丸められた部分１３０２ａをタッチし、タッチした状態のまま、右方向にスライドを実行すると、オブジェクト画像１３０２が丸められ、所定距離スライドすると、オブジェクト画像１３０２のすべてが丸められる。
【０１５７】
なお、タッチパネル３８から入力される座標データが示すＸ座標の値が増加している場合に、右方向にスライドしていると判断することができる。
【０１５８】
ただし、上述の実施例と同様に、リリースの状態からオブジェクト画像１３０２の丸められた部分１３０２ａ以外の部分がタッチされた場合には、所定方向に所定距離以上スライドを実行したとしても、対応選択画面１２０で選択された対応の実行は指示されない。
【０１５９】
また、所定距離以上スライドせずにリリースした場合には、オブジェクト画像１３０２は元の状態に戻される。つまり、実行画面１３０が表示された当初に戻される。
【０１６０】
さらに、図示は省略したが、対応選択画面１２０において、ボタン画像１２０２ｃがタッチされ、着信を無視するとともにメッセージを送信することが選択された場合には、オブジェクト画像１３０２では、ボタン画像１２０２ｃが表示された右端の部分が丸められ、また、当該ボタン画像１２０２ｃに付された色と同じ色がその表面に付されるのである。そして、対応選択画面１２０で選択された対応の実行を指示する場合には、オブジェクト画像１３０２の丸められた部分１３０２ａをタッチし、タッチした状態のまま、左方向に所定距離以上スライドするのである。この場合には、タッチパネル３８から入力される座標データが示すＸ座標の値が減少している場合に、左方向にスライドしていると判断することができる。
【０１６１】
なお、他の実施例では、対応選択画面１２０で選択された対応の実行を指示する場合には、対応に応じてそれぞれ異なる所定方向にスライドを実行させるようにしてあるが、所定距離以上スライドが実行されれば、スライドの方向は特に限定される必要はない。たとえば、図１３（Ｂ）に示した実行画面１３０においては、右方向のみならず、右斜め方向や上下方向にスライドしてもよい。また、図１４（Ａ）に示した実行画面１３０においては、上方向のみならず、左右方向や斜め方向にスライドしてもよい。
【０１６２】
また、他の実施例では、所定距離以上スライドするようにしてあるが、上述の実施例と同様に、丸められた部分１３０２ａをタッチすることに応じて、対応選択画面１２０で選択された対応の実行が指示されたと判断するようにしてもよい。
【０１６３】
さらに、他の実施例では、図７に示したステップＳ２１およびステップＳ７９の判断処理では、対応選択画面１２０においてボタン画像１２０２ａ−１２０２ｃのいずれがタッチされたかに応じて、スライドについての所定方向が異なる以外は上述の実施例と同じであるため、プロセッサ２４の処理についても省略することにする。
【０１６４】
当然のことながら、他の実施例では、ステップＳ５やステップＳ６３では、図１３（Ａ）に示した対応選択画面１２０がディスプレイ３０に表示され、ステップＳ１９やステップＳ７７では、図１３（Ｂ）や図１４（Ａ）に示した実行画面１３０がディスプレイ３０に表示される。また、使用者のタッチおよびスライドに応じて、オブジェクト１３０２が丸められる（めくられる）様子の実行画面１３０が表示される。
【０１６５】
他の実施例においても、上述の実施例と同様に、使用者が意図しない操作によって着信に対応することを防止することができる。
【０１６６】
なお、上述の実施例では、実行画面において、リリースした状態からオブジェクト画像またはオブジェクト画像の一部がタッチされ、タッチした状態のまま所定の方向に所定距離以上スライドさせると、対応選択画面で選択された着信に対する対応が実行されるようにしたが、これに限定される必要はない。たとえば、実行画面において、リリースした状態からオブジェクト画像またはオブジェクト画像の一部がタッチされ、フリックされると、このフリックに従って、オブジェクト画像が移動され、または、オブジェクト画像が丸められ、対応選択画面で選択された着信に対する対応が実行されるようにしてもよい。かかる場合には、フリックにおいてスライドする方向は任意の方向でよい。ただし、フリックの強さ（スライドの速さ）が所定値（たとえば、０．５ｄｏｔ／ｍｓ）未満である場合には、誤操作の可能性があるため、フリックされても、選択された対応を実行しない。かかる場合には、たとえば、フリックを強く（スライドを速く）するべき旨のメッセージをディスプレイに表示した後に、対応選択画面に戻るようにすればよい。
【０１６７】
また、上述の実施例では、対応選択画面でボタン画像がタッチされると、当該ボタン画像に応じたオブジェクト画像が表示された実行画面を表示するようにしたが、これに限定される必要はない。たとえば、ボタン画像がタッチされると、当該ボタン画像以外のボタン画像が暗転（グレーアウト）表示されたり、非表示（消去）されたりした実行画面を表示してもよい。そして、タッチしたボタン画像を、スライドによって、所定方向に所定距離以上移動させたり、所定値以上の強さ（速さ）のフリックによって移動させたりして、着信に対する対応を実行するようにしてもよい。
【０１６８】
さらに、上述の実施例では、着信に対して、応答すること、無視すること、無視するとともにメッセージを送信することを選択するようにしたが、無視すること、または、無視するとともにメッセージを送信することは選択できなくても（無くても）よい。つまり、着信に応じて、応答すること、または、無視することを選択可能としたり、応答すること、または、無視するとともにメッセージを送信することを選択可能としたりしてもよい。
【０１６９】
さらにまた、上述の実施例では、各画面における表示を日本語で表記するようにしたが、これに限定される必要は無い。たとえば、英語、フランス語、ドイツ語、ロシア語、韓国語、中国語のような他の言語で表示されてよい。また、使用者が表示する言語を選択可能としてよい。
【０１７０】
また、上述の実施例では、図３（Ｂ）に示したように、大きさの異なるＶ字を縦に並べた指標画像を表示することにより、オブジェクト画像を移動することを表示したが、オブジェクト画像を下向きに移動する旨のメッセージを表示するようにしてもよい。この場合、メッセージは、日本語や上記した他の言語で表示されてよい。
【０１７１】
さらに、上述の実施例の図３（Ｂ）に示した指標画像は一例であり、これに限定される必要はない。たとえば、逆向きにした三角形を２つ以上縦に並べた指標画像を表示したり、下向きの矢印を１つまたは２つ以上縦に並べた指標画像を表示したりしてもよい。
【０１７２】
さらにまた、上述の実施例では、通信方式として、ＣＤＭＡ方式を採用するようにしてあるが、これに限定される必要は無く、ＬＴＥ(Long Term Evolution)方式、Ｗ−ＣＤＭＡ方式、ＧＳＭ方式、ＴＤＭＡ方式、ＦＤＭＡ方式およびＰＨＳ方式などの他の方式が採用されてもよい。
【０１７３】
また、上述の実施例では、着信に対して応答することが選択され、通話処理が実行されている場合に、割り込み処理が実行される場合についてのみ説明したが、発信に応じて他の電話機との通話処理が実行されている場合についても、同様の割り込み処理が実行される。
【０１７４】
さらに、以上の説明で挙げた所定距離、所定時間、所定回数や所定値などの具体的数値および各画面は、いずれも単なる一例であり、製品の仕様などの必要に応じて適宜変更可能である。
【０１７５】
たとえば、図５（Ｂ）に示したメッセージ作成画面の表示領域９０ｄに表示されたソフトキー１００の配列は、ＱＷＥＲＴＹ配列にしてもよい。
【符号の説明】
【０１７６】
１０  …携帯電話機
１４  …無線通信回路
１８  …マイク
２２  …スピーカ
２４  …プロセッサ
２６  …キー入力装置
３０  …ディスプレイ
３２  …フラッシュメモリ
３４  …ＲＡＭ
３８  …タッチパネル
【図１】
0005631694.tif 000002
【図２】
0005631694.tif 000003
【図３】
0005631694.tif 000004
【図４】
0005631694.tif 000005
【図５】
0005631694.tif 000006
【図６】
0005631694.tif 000007
【図７】
0005631694.tif 000008
【図８】
0005631694.tif 000009
【図９】
0005631694.tif 000010
【図１０】
0005631694.tif 000011
【図１１】
0005631694.tif 000012
【図１２】
0005631694.tif 000013
【図１３】
0005631694.tif 000014
【図１４】
0005631694.tif 000015